【手続補正書】
【提出日】平成18年5月22日(2006.5.22)
【手続補正１】
【補正対象書類名】特許請求の範囲
【補正対象項目名】全文
【補正方法】変更
【補正の内容】
【特許請求の範囲】
【請求項１】
インターネット網を介してデータの授受を行う通信システムであって、
所定のパケット通信網に対して接続された携帯電話端末機と、
上記インターネット網に対して接続された各種コンテンツを格納するコンテンツサーバと、
上記携帯電話端末機が上記パケット通信網を介して直接アクセス可能とされ、上記コンテンツサーバからコンテンツを取得し、上記パケット通信網を介して上記携帯電話端末機に対して配信代行を行うプロキシサーバとを備え、
上記プロキシサーバは、
上記携帯電話端末機からの上記コンテンツの閲覧リクエストに応じて当該コンテンツを格納するＵＲＬを復号するＵＲＬ復号手段と、
当該コンテンツを格納する上記コンテンツサーバと通信を行い、当該コンテンツを取得するクライアント処理手段と、
上記クライアント処理手段によって取得したコンテンツを解析し、当該コンテンツのデータ形式を正規化状態に修復するとともに、当該コンテンツの木構造を組み立てるのに必要な最低限のイベントを上記携帯電話端末機に対して送信するコンテンツ解析手段とを有し、
上記携帯電話端末機は、
上記プロキシサーバによって上記コンテンツサーバから取得したコンテンツの木構造を組み立てるのに必要な最低限のイベントを当該プロキシサーバから受信して、上記コンテンツの木構造の組み立てを行う木構造組立手段と、
上記木構造組立手段によって組み立てられた木構造ファイルに基づいて表示の際のレイアウト処理を行うレイアウト処理手段と、
上記レイアウト処理手段によってレイアウト処理された情報を所定の表示画面に表示させる表示処理手段とを有すること
を特徴とする通信システム。
【請求項２】
上記コンテンツ解析手段は、上記ＵＲＬを当該ＵＲＬを識別する識別子であるＵＲＬＩＤに圧縮して上記携帯電話端末機に対して送信し、
上記携帯電話端末機は、上記コンテンツの閲覧リクエストを行う際にＵＲＬＩＤを上記プロキシサーバに対して送信する送信手段を有すること
を特徴とする請求項１記載の通信システム。
【請求項３】
上記コンテンツ解析手段は、上記コンテンツサーバから取得したコンテンツを解析した結果、上記パケット通信網を提供する携帯電話会社が公認するウェブサイトに関する管理を行うために必要な当該携帯電話会社が発行したユーザＩＤを識別する記述がＵＲＬに含まれていることを検知した場合には、ＵＲＬをＵＲＬＩＤに圧縮する際に、検知したユーザＩＤを付加したＵＲＬＩＤに変換し、上記携帯電話端末機に対して送信すること
を特徴とする請求項２記載の通信システム。
【請求項４】
上記プロキシサーバは、上記携帯電話端末機からのリクエストに応じて、上記コンテンツサーバを検索して接続し、当該コンテンツサーバからコンテンツをダウンロードした後、当該コンテンツサーバとの接続を切断し、上記コンテンツサーバからダウンロードした上記コンテンツを解析し、参照する画像ファイルのＵＲＬを示す一覧リストを取得し、取得した上記画像ファイルのＵＲＬに基づいて、当該画像ファイルを格納するコンテンツサーバを検索して接続し、当該コンテンツサーバから画像ファイルをダウンロードした後、当該コンテンツサーバとの接続を切断する処理を、取得すべき画像ファイルの数だけ繰り返し行い、取得したコンテンツと画像ファイルとをアーカイブする手段を有し、
上記携帯電話端末機は、上記プロキシサーバからアーカイブされたデータをダウンロードした後、当該プロキシサーバとの接続を切断してアーカイブされたデータを取得し、アーカイブされたデータからコンテンツと画像ファイルとを分離抽出する手段を有すること
を特徴とする請求項１乃至請求項３のうちいずれか１項記載の通信システム。
【請求項５】
上記携帯電話端末機及び上記プロキシサーバは、当該携帯電話端末機と当該プロキシサーバとの間でデータの送受信を行う際のライブラリを１つのレイヤとして構築する手段を有し、
上記携帯電話端末機は、上記コンテンツサーバに対して制限以上の容量のデータをアップロードデータとしてアップロードする場合には、当該アップロードデータを送信可能な容量に分割し、分割したデータ毎に、上記プロキシサーバとの間でセッションを確立して当該データを送信する手段を有し、
上記プロキシサーバは、セッション毎にキャッシュを生成して所定のアップロードキャッシュに追記し、上記携帯電話端末機から全てのデータの送信が完了すると、上記アップロードデータを復元し、アップロードすべき上記コンテンツサーバに対して当該アップロードデータを送信する手段を有すること
を特徴とする請求項１乃至請求項４のうちいずれか１項記載の通信システム。
【請求項６】
上記プロキシサーバは、上記コンテンツサーバに格納されている制限以上の容量のデータをダウンロードデータとして上記携帯電話端末に対してダウンロードする場合には、当該コンテンツサーバから当該ダウンロードデータを取得して所定のダウンロードキャッシュに格納し、上記ダウンロードキャッシュから送信可能な容量のデータを読み出すことによって上記ダウンロードデータを分割し、上記携帯電話端末との間で分割したデータ毎にセッションを確立して当該携帯電話端末機に対して当該データを送信する手段を有し、
上記携帯電話端末機は、上記プロキシサーバから全てのデータの送信が完了すると、上記ダウンロードデータを復元する手段を有すること
を特徴とする請求項５記載の通信システム。
【請求項７】
上記コンテンツサーバは、ロジック部分であるプログラム本体と、非ロジック部分であるテキストファイル並びに画像ファイル及び音声ファイルとからなるコンテンツとして作成されたアプリケーションプログラムを、上記ロジック部分と上記非ロジック部分とに分割するとともに、分割したロジック部分に所定のアーカイブライブラリを付与して所定の格納手段に格納する手段を有し、
上記携帯電話端末機は、上記アプリケーションプログラムをダウンロードする際に、上記プロキシサーバを介して上記アーカイブライブラリが付与された上記ロジック部分のみをダウンロードして所定の保存手段に保存し、上記アーカイブライブラリを起動して、上記非ロジック部分を上記プロキシサーバを介して上記コンテンツサーバから取得する手段を有すること
を特徴とする請求項１乃至請求項６のうちいずれか１項記載の通信システム。
【請求項８】
上記アプリケーションプログラムは、上記携帯電話端末機で実行可能なブラウザとメーラとを統合したソフトウェアであり、当該アプリケーションプログラムを待ち受け画面として待機させたまま、所定のサービスを利用可能とされるものであること
を特徴とする請求項７記載の通信システム。
【請求項９】
上記携帯電話端末機は、上記アプリケーションプログラムを実行し、上記ブラウザを介して所定のコンテンツサーバから取得した待ち受け画面用の画像ファイル及び／又は着信音声用の音声ファイルを所定の保存領域に保存する手段を有し、この保存領域を上記メーラと共用すること
を特徴とする請求項８記載の通信システム。
【請求項１０】
上記携帯電話端末機は、上記アプリケーションプログラムを実行し、上記メーラを介して所定のコンテンツサーバから電子メールのヘッダ情報からなる新着メールの一覧リストを取得し、本文の閲覧を希望したメール本文をページ毎に分割し、必要なページのみを受信するとともに、必要な添付ファイルをダウンロードする手段を有すること
を特徴とする請求項８又は請求項９記載の通信システム。
【請求項１１】
上記携帯電話端末機は、上記アプリケーションプログラムを実行し、所定の表示画面に表示されたコンテンツをのうち画面範囲を超過する分について、上下方向にページ単位でスクロールさせる手段を有すること
を特徴とする請求項８乃至請求項１０のうちいずれか１項記載の通信システム。
【請求項１２】
上記携帯電話端末は、上記アプリケーションプログラムを実行し、格納しているアドレス帳を上記プロキシサーバにアップロードし、上記パケット通信網及び／又は上記インターネット網に接続される他の機器に対してインポート可能に、当該プロキシサーバに確保された所定の保存領域に格納させる手段を有すること
を特徴とする請求項８乃至請求項１１のうちいずれか１項記載の通信システム。
【請求項１３】
インターネット網を介してデータの授受を行う通信方法であって、
所定のパケット通信網に対して接続された携帯電話端末機からのコンテンツの閲覧リクエストに応じて、上記携帯電話端末機が上記パケット通信網を介して直接アクセス可能とされるプロキシサーバが、当該コンテンツを格納するＵＲＬを復号する工程と、
当該コンテンツを格納する上記インターネット網に対して接続されたコンテンツサーバと上記プロキシサーバとが通信を行い、当該プロキシサーバが当該コンテンツを取得する工程と、
上記プロキシサーバが、取得したコンテンツを解析し、当該コンテンツのデータ形式を正規化状態に修復するとともに、当該コンテンツの木構造を組み立てるのに必要な最低限のイベントを上記携帯電話端末機に対して送信する工程と、
上記携帯電話端末機が、上記プロキシサーバによって上記コンテンツサーバから取得したコンテンツの木構造を組み立てるのに必要な最低限のイベントを当該プロキシサーバから受信して、上記コンテンツの木構造の組み立てを行う工程と、
上記携帯電話端末機が、組み立てた木構造ファイルに基づいて表示の際のレイアウト処理を行い、レイアウト処理した情報を所定の表示画面に表示させる工程とを備えること
を特徴とする通信方法。
【請求項１４】
所定のパケット通信網に対して接続された携帯電話端末機が上記パケット通信網を介して直接アクセス可能とされ、インターネット網に対して接続された各種コンテンツを格納するコンテンツサーバからコンテンツを取得し、上記パケット通信網を介して上記携帯電話端末機に対して配信代行を行うサーバ装置であって、
上記携帯電話端末機からの上記コンテンツの閲覧リクエストに応じて当該コンテンツを格納するＵＲＬを復号するＵＲＬ復号手段と、
当該コンテンツを格納する上記コンテンツサーバと通信を行い、当該コンテンツを取得するクライアント処理手段と、
上記クライアント処理手段によって取得したコンテンツを解析し、当該コンテンツのデータ形式を正規化状態に修復するとともに、当該コンテンツの木構造を組み立てるのに必要な最低限のイベントを上記携帯電話端末機に対して送信するコンテンツ解析手段とを備えること
を特徴とするサーバ装置。
【請求項１５】
所定のパケット通信網に対して接続され、インターネット網に対して接続されたコンテンツサーバに格納されたコンテンツをプロキシサーバを介して取得する携帯電話端末機であって、
上記プロキシサーバによって上記コンテンツサーバから取得したコンテンツの木構造を組み立てるのに必要な最低限のイベントを当該プロキシサーバから受信して、上記コンテンツの木構造の組み立てを行う木構造組立手段と、
上記木構造組立手段によって組み立てられた木構造ファイルに基づいて表示の際のレイアウト処理を行うレイアウト処理手段と、
上記レイアウト処理手段によってレイアウト処理された情報を所定の表示画面に表示させる表示処理手段とを備えること
を特徴とする携帯電話端末機。
【手続補正２】
【補正対象書類名】明細書
【補正対象項目名】０００８
【補正方法】変更
【補正の内容】
【０００８】
上述した目的を達成する本発明にかかる通信システムは、インターネット網を介してデータの授受を行う通信システムであって、所定のパケット通信網に対して接続された携帯電話端末機と、上記インターネット網に対して接続された各種コンテンツを格納するコンテンツサーバと、上記携帯電話端末機が上記パケット通信網を介して直接アクセス可能とされ、上記コンテンツサーバからコンテンツを取得し、上記パケット通信網を介して上記携帯電話端末機に対して配信代行を行うプロキシサーバとを備え、上記プロキシサーバは、上記携帯電話端末機からの上記コンテンツの閲覧リクエストに応じて当該コンテンツを格納するＵＲＬを復号するＵＲＬ復号手段と、当該コンテンツを格納する上記コンテンツサーバと通信を行い、当該コンテンツを取得するクライアント処理手段と、上記クライアント処理手段によって取得したコンテンツを解析し、当該コンテンツのデータ形式を正規化状態に修復するとともに、当該コンテンツの木構造を組み立てるのに必要な最低限のイベントを上記携帯電話端末機に対して送信するコンテンツ解析手段とを有し、上記携帯電話端末機は、上記プロキシサーバによって上記コンテンツサーバから取得したコンテンツの木構造を組み立てるのに必要な最低限のイベントを当該プロキシサーバから受信して、上記コンテンツの木構造の組み立てを行う木構造組立手段と、上記木構造組立手段によって組み立てられた木構造ファイルに基づいて表示の際のレイアウト処理を行うレイアウト処理手段と、上記レイアウト処理手段によってレイアウト処理された情報を所定の表示画面に表示させる表示処理手段とを有することを特徴としている。
【手続補正３】
【補正対象書類名】明細書
【補正対象項目名】００１０
【補正方法】変更
【補正の内容】
【００１０】
ここで、上記コンテンツ解析手段は、上記ＵＲＬを当該ＵＲＬを識別する識別子であるＵＲＬＩＤに圧縮して上記携帯電話端末機に対して送信し、上記携帯電話端末機は、上記コンテンツの閲覧リクエストを行う際にＵＲＬＩＤを上記プロキシサーバに対して送信する送信手段を有する。
【手続補正４】
【補正対象書類名】明細書
【補正対象項目名】００１２
【補正方法】変更
【補正の内容】
【００１２】
また、上記コンテンツ解析手段は、上記コンテンツサーバから取得したコンテンツを解析した結果、上記パケット通信網を提供する携帯電話会社が公認するウェブサイトに関する管理を行うために必要な当該携帯電話会社が発行したユーザＩＤを識別する記述がＵＲＬに含まれていることを検知した場合には、ＵＲＬをＵＲＬＩＤに圧縮する際に、検知したユーザＩＤを付加したＵＲＬＩＤに変換し、上記携帯電話端末機に対して送信する。
【手続補正５】
【補正対象書類名】明細書
【補正対象項目名】００１９
【補正方法】変更
【補正の内容】
【００１９】
また、上記コンテンツサーバは、ロジック部分であるプログラム本体と、非ロジック部分であるテキストファイル並びに画像ファイル及び音声ファイルとからなるコンテンツとして作成されたアプリケーションプログラムを、上記ロジック部分と上記非ロジック部分とに分割するとともに、分割したロジック部分に所定のアーカイブライブラリを付与して所定の格納手段に格納し、上記携帯電話端末機は、上記アプリケーションプログラムをダウンロードする際に、上記プロキシサーバを介して上記アーカイブライブラリが付与された上記ロジック部分のみをダウンロードして所定の保存手段に保存し、上記アーカイブライブラリを起動して、上記非ロジック部分を上記プロキシサーバを介して上記コンテンツサーバから取得する。
【手続補正６】
【補正対象書類名】明細書
【補正対象項目名】００３０
【補正方法】変更
【補正の内容】
【００３０】
また、上述した目的を達成する本発明にかかる通信方法は、インターネット網を介してデータの授受を行う通信方法であって、所定のパケット通信網に対して接続された携帯電話端末機からのコンテンツの閲覧リクエストに応じて、上記携帯電話端末機が上記パケット通信網を介して直接アクセス可能とされるプロキシサーバが、当該コンテンツを格納するＵＲＬを復号する工程と、当該コンテンツを格納する上記インターネット網に対して接続されたコンテンツサーバと上記プロキシサーバとが通信を行い、当該プロキシサーバが当該コンテンツを取得する工程と、上記プロキシサーバが、取得したコンテンツを解析し、当該コンテンツのデータ形式を正規化状態に修復するとともに、当該コンテンツの木構造を組み立てるのに必要な最低限のイベントを上記携帯電話端末機に対して送信する工程と、上記携帯電話端末機が、上記プロキシサーバによって上記コンテンツサーバから取得したコンテンツの木構造を組み立てるのに必要な最低限のイベントを当該プロキシサーバから受信して、上記コンテンツの木構造の組み立てを行う工程と、上記携帯電話端末機が、組み立てた木構造ファイルに基づいて表示の際のレイアウト処理を行い、レイアウト処理した情報を所定の表示画面に表示させる工程とを備えることを特徴としている。
【手続補正７】
【補正対象書類名】明細書
【補正対象項目名】００３４
【補正方法】変更
【補正の内容】
【００３４】
さらにまた、上述した目的を達成する本発明にかかる携帯電話端末機は、所定のパケット通信網に対して接続され、インターネット網に対して接続されたコンテンツサーバに格納されたコンテンツをプロキシサーバを介して取得する携帯電話端末機であって、上記プロキシサーバによって上記コンテンツサーバから取得したコンテンツの木構造を組み立てるのに必要な最低限のイベントを当該プロキシサーバから受信して、上記コンテンツの木構造の組み立てを行う木構造組立手段と、上記木構造組立手段によって組み立てられた木構造ファイルに基づいて表示の際のレイアウト処理を行うレイアウト処理手段と、上記レイアウト処理手段によってレイアウト処理された情報を所定の表示画面に表示させる表示処理手段とを備えることを特徴としている。